(57)【特許請求の範囲】
【請求項１】
無線アクセス下で暗号化情報を取得するための方法であって、
端末装置によって送信される、ネットワークへのアクセスを要求するために使用される第１アクセスリクエストを受信し、前記端末装置の検証を行う段階と、
前記検証が正常終了した場合、無線アクセス用暗号化情報を呼び出す段階と、
呼び出した前記無線アクセス用暗号化情報を前記端末装置に送信する段階と
を有し、
前記無線アクセス用暗号化情報は、アクセスポイントであらかじめ設定され、
前記端末装置の検証を行う段階は、
前記端末装置又は第三者端末装置にプロンプト情報を送信する段階と、
前記プロンプト情報に従って前記端末装置又は前記第三者端末装置によって送信される情報を受信する段階と
を含み、
前記プロンプト情報は、前記アクセスポイントに送信すべきコンテンツ情報の入力を要求するために使用され、
受信した情報が前記アクセスポイントであらかじめ設定した内容に一致した場合に、前記検証が正常終了することを特徴とする方法。
【請求項２】
呼び出した前記無線アクセス用暗号化情報を前記端末装置に送信する段階が、
ショートメッセージを介して、呼び出した前記無線アクセス用暗号化情報を前記端末装置に送信する段階を含むことを特徴とする請求項１に記載の方法。
【請求項３】
端末装置によって送信される、ネットワークへのアクセスを要求するために使用される第１アクセスリクエストを受信し、前記端末装置の検証を行う段階の前に、
前記無線アクセス用暗号化情報を設定するために使用される設定インタフェースをユーザに提供し、前記設定インタフェースから受信した無線アクセス用暗号化情報をファイルとして保存する段階をさらに有することを特徴とする請求項１又は２に記載の方法。
【請求項４】
暗号化情報を表示するために使用される表示コマンドを受信し、前記アクセスポイントであらかじめ設定された暗号化情報を呼び出し、呼び出した暗号化情報を表示する段階をさらに有することを特徴とする請求項３に記載の方法。
【請求項５】
前記端末装置によって送信される、暗号化情報を伝送する第２アクセスリクエストを受信する段階をさらに有し、
前記第２アクセスリクエストは、前記ネットワークへのアクセスを要求するために使用され、
前記第２アクセスリクエストで伝送される暗号化情報が前記アクセスポイントであらかじめ設定された暗号化情報に一致した場合に、前記端末装置による前記ネットワークへのアクセスが許可されることを特徴とする請求項１、２、及び４のいずれか１項に記載の方法。
【請求項６】
端末装置によって送信される、ネットワークへのアクセスを要求するために使用される第１アクセスリクエストを受信するように構成されたリクエスト受信部と、
前記リクエスト受信部が前記端末装置によって送信された前記第１アクセスリクエストを受信した後、前記端末装置の検証を行うように構成された検証部と、
前記検証部による前記端末装置の検証が正常終了した場合、無線アクセス用暗号化情報を呼び出すように構成された呼出し部と、
前記呼出し部によって呼び出された前記無線アクセス用暗号化情報を前記端末装置に送信するように構成された情報送信部と
を具備し、
前記無線アクセス用暗号化情報は、アクセスポイントであらかじめ設定され、
前記検証部は、
前記端末装置又は第三者端末装置にプロンプト情報を送信するように構成されたプロンプト送信部と、
前記プロンプト情報に従って前記端末装置又は前記第三者端末装置によって送信される情報を受信するように構成された情報マッチング部と
を具備し、
前記プロンプト情報は、前記アクセスポイントに送信すべきコンテンツ情報の入力を要求するために使用され、
受信した情報が前記アクセスポイントであらかじめ設定した内容に一致した場合に、前記検証が正常終了することを特徴とするアクセスポイント。
【請求項７】
前記無線アクセス用暗号化情報を設定するために使用される設定インタフェースをユーザに提供し、前記設定インタフェースから受信した暗号化情報をファイルとして保存するように構成された暗号設定部をさらに具備することを特徴とする請求項６に記載のアクセスポイント。
【請求項８】
暗号化情報を表示するために使用される表示コマンドを受信し、前記アクセスポイントであらかじめ設定された暗号化情報を呼び出し、呼び出した暗号化情報を表示するように構成された情報表示部をさらに具備することを特徴とする請求項７に記載のアクセスポイント。
【請求項９】
前記リクエスト受信部が、前記端末装置によって送信される、暗号化情報を伝送する第２アクセスリクエストを受信するようにさらに構成され、
前記アクセスポイントが、
前記リクエスト受信部によって受信された前記第２アクセスリクエストで伝送される暗号化情報が前記アクセスポイントであらかじめ設定された暗号化情報に一致した場合に、前記端末装置による前記ネットワークへのアクセスを許可するように構成されたネットワークアクセス部をさらに具備し、
前記第２アクセスリクエストは、前記ネットワークへのアクセスを要求するために使用されることを特徴とする請求項６又は８に記載のアクセスポイント。
【請求項１０】
端末装置とアクセスポイントとからなる通信システムであって
前記端末装置は、ネットワークへのアクセスを要求するために使用される第１アクセスリクエストを前記アクセスポイントに送信し、前記アクセスポイントによって返される暗号化情報を受信するように構成され、
前記アクセスポイントは、請求項６ないし８のいずれか１項に記載のアクセスポイントであることを特徴とする通信システム。
【請求項１１】
前記端末装置は、前記暗号化情報を伝送する、前記ネットワークへのアクセスを要求するために使用される第２アクセスリクエストを前記アクセスポイントに送信するようにさらに構成され、
前記アクセスポイントは、前記リクエスト受信部によって受信された前記第２アクセスリクエストで伝送される前記暗号化情報が前記アクセスポイントであらかじめ設定された暗号化情報に一致した場合に、前記端末装置による前記ネットワークへのアクセスを許可するようにさらに構成されることを特徴とする請求項１０に記載の通信システム。
【発明の詳細な説明】
【技術分野】
【０００１】
本発明は、通信技術の分野に関し、詳細には、無線アクセス下で暗号化情報を取得するための方法、装置、及びシステムに関する。
【背景技術】
【０００２】
無線ネットワークでは、ワイヤレスフィデリティ（Ｗｉ−Ｆｉ）無線ルータやハンドヘルドＷｉ−Ｆｉ装置など、いくつかの無線通信装置が、無線アクセスポイントの機能を有している。そのような装置は、ＡＰと略称され、他の無線通信装置は、ＡＰを介して、通信を行うためのネットワークにアクセスできる。
【０００３】
端末装置は、ＡＰにセキュアにアクセスするためには、暗号化手法によってＡＰにアクセスする必要がある。すなわち、ＡＰが暗号化情報に従って端末装置へのアクセスルートを制限できるように、暗号化情報は、端末装置によって送信されるアクセスリクエストを介してＡＰに伝送されなければならない。この場合、暗号化情報は、ＡＰのユーザと端末装置のユーザとによって、あらかじめ同意がなされていなければならない。そのような暗号化情報は、漏洩し易く、安全ではない。
【発明の概要】
【発明が解決しようとする課題】
【０００４】
本発明の諸実施態様は、無線アクセス下で暗号化情報を取得するための方法、装置、及びシステムを提供し、それにより、無線アクセス用暗号化情報のセキュリティを高める。
【課題を解決するための手段】
【０００５】
本発明の一実施態様は、無線アクセス下で暗号化情報を取得するための方法を提供する。上記方法は、
端末装置によって送信される、ネットワークへのアクセスを要求するために使用される第１アクセスリクエストを受信し、当該端末装置の検証を行う段階と、
検証が正常終了した場合、アクセスポイントであらかじめ設定された無線アクセス用暗号化情報を呼び出す段階と、
呼び出した無線アクセス用暗号化情報を端末装置に送信する段階とを有する。
【０００６】
本発明の一実施態様は、アクセスポイントを提供する。上記アクセスポイントは、
端末装置によって送信される、ネットワークへのアクセスを要求するために使用される第１アクセスリクエストを受信するように構成されたリクエスト受信部と、
端末装置の検証を行うように構成された検証部と、
検証部による端末装置の検証が正常終了した場合、アクセスポイントであらかじめ設定された無線アクセス用暗号化情報を呼び出すように構成された呼出し部と、
呼出し部によって呼び出された無線アクセス用暗号化情報を端末装置に送信するように構成された情報送信部とを具備する。
【０００７】
本発明の一実施態様は、通信システムを提供する。上記通信システムは、端末装置と、アクセスポイントとからなる。
上記装置端末は、ネットワークへのアクセスを要求するために使用される第１アクセスリクエストをアクセスポイントに送信するとともに、アクセスポイントによって返される暗号化情報を受信するように構成される。
上記アクセスポイントは、
端末装置によって送信される、ネットワークへのアクセスを要求するために使用される第１アクセスリクエストを受信するように構成されたリクエスト受信部と、
リクエスト受信部が端末装置によって送信された第１アクセスリクエストを受信した後、端末装置の検証を行うように構成された検証部と、
検証部による端末装置の検証が正常終了した場合、アクセスポイントであらかじめ設定された無線アクセス用暗号化情報を呼び出すように構成された呼出し部と、
呼出し部によって呼び出された無線アクセス用暗号化情報を端末装置に送信するように構成された情報送信部とを具備する。
【発明の効果】
【０００８】
本発明の諸実施態様において、暗号化情報は、ＡＰであらかじめ設定される。端末装置によって送信された、ネットワークへのアクセスを要求するために使用される第１アクセスリクエストを受信したとき、ＡＰは、端末装置の検証を行う。検証が正常終了した場合、ＡＰは、あらかじめ設定された暗号化情報を端末装置に割り当てて、端末装置に送信する。それにより、ＡＰは、アクセスリクエストをトリガした端末装置が検証に成功した後にだけ、当該端末装置に暗号化情報を送信するようにできる。ユーザによる暗号化情報の同意を必要とする従来技術と比較した場合、この実施態様の方法は、暗号化情報を漏洩し難く、それにより、暗号化情報のセキュリティが高まる。
【０００９】
本発明の諸実施形態の技術的解決策又は従来技術をより明確に示すために、それらの実施形態又は従来技術の説明に必要な添付の図面について以下で簡単に説明する。当然ながら、以下に記載する添付の図面は、本発明のいくつかの実施形態だけを示すものであり、当業者は、創造的労力無しに、それらの図面から別の図面を得ることができよう。
【図面の簡単な説明】
【００１０】
【図１】本発明の一実施形態による、無線アクセス下で暗号化情報を取得するための方法のフローチャートである。
【図２】本発明の一実施形態によるアクセスポイントの概略的な構成図である。
【図３】本発明の一実施形態による別のアクセスポイントの概略的な構成図である。
【発明を実施するための形態】
【００１１】
これより、添付の図面を参照して、本発明の諸実施形態における技術的解決策を明確かつ十分に説明する。当然ながら、記載する諸実施形態は、本発明の実施形態のすべてではなく、その一部に過ぎない。本発明の諸実施形態に基づいて、当業者によって創造的労力無しに得られる他のすべての実施形態は、本発明の保護範囲内にある。
【００１２】
本発明の一実施形態は、無線アクセス下で暗号化情報を取得するための方法を提供する。この方法は、端末装置がＡＰを介してネットワークにアクセスする過程で、無線アクセス用暗号化情報をＡＰから取得するために、端末装置に適用される。ＡＰによって実行される上記方法は、図１に示されており、以下のステップを有する。
【００１３】
ステップ１０１：端末装置によって送信され、ネットワークへのアクセスを要求するために使用される第１アクセスリクエストを受信する。
【００１４】
留意すべきは、端末装置は、ネットワーク、例えば、ロングタームエボリューション（ＬＴＥ）ネットワーク、又は、第２世代、第３世代通信技術（２Ｇ／３Ｇ）ネットワークにアクセスする必要がある場合、対応するネットワークのＡＰに第１アクセスリクエストを送信し、当該ＡＰポイントを介して対応するネットワークにアクセスするということである。この実施形態では、第１アクセスリクエストは、端末装置の識別子などの情報を含み得るが、暗号化情報を含まない。換言すれば、端末装置は、非暗号化手法（オープンな手法）でＡＰにアクセスして、暗号化情報を取得する必要がある。
【００１５】
ステップ１０２：端末装置の検証を行い、検証が正常終了した（成功した）場合、ステップ１０３を実行し、検証が正常終了しなかった（失敗した）場合、端末装置によるネットワークへのアクセスを制限してプロセスを終了する。
【００１６】
第１アクセスリクエストを受信すると、ＡＰは、端末装置の検証を行う必要がある。例えば、ＡＰは、第１アクセスリクエストに含まれる端末装置の識別情報をＡＰであらかじめ設定された識別情報と比較し、第１アクセスリクエストに含まれる端末装置の識別情報がＡＰであらかじめ設定された識別情報に一致した場合、検証は正常終了し、ステップ１０３が実行される。また、ＡＰは、別の手法で検証を実行してよく、本発明は、特定の検証方法に限定されない。
【００１７】
さらに、ＡＰが第１アクセスリクエストを受信すると、ＡＰに設定されたネットワークアクセス手法が非暗号化手法である場合、端末装置の検証は行われず、端末装置は、ネットワークにダイレクトにアクセスでき、ＡＰに設定されたネットワークアクセス手法が暗号化手法である場合、ステップ１０２を実行する必要がある。
【００１８】
ステップ１０３：無線アクセス用暗号化情報が呼び出される。ここで、無線アクセス用暗号化情報は、アクセスポイントであらかじめ設定される。暗号化情報は、ＡＰを介してネットワークにアクセスするための端末装置用のセキュリティ情報に関し、サービスセット識別子（ＳＳＩＤ）などの情報又はセキュリティキーを含んでよく、また、暗号化手法などの情報を含んでもよい。
【００１９】
ステップ１０４：呼び出された無線アクセス用暗号化情報が端末装置に送信される。
【００２０】
ＡＰは、暗号化情報を編集してショートメッセージを生成し、このショートメッセージを介して暗号化情報を端末装置に送信する。それにより、端末装置は、ＡＰにアクセスでき、次いで、暗号化手法でネットワークにアクセスできる。特に、端末装置は、暗号化情報を伝送する第２アクセスリクエストをＡＰに送信してよい。ここで、第２アクセスリクエストは、ネットワークへのアクセスを要求するために使用される。端末装置によって送信される、暗号化情報を伝送する第２アクセスリクエストを受信したとき、ＡＰは、第２アクセスリクエストで伝送された暗号化情報をＡＰであらかじめ設定された暗号化情報と比較する。第２アクセスリクエストで伝送された暗号化情報がＡＰであらかじめ設定された暗号化情報に一致した場合、ＡＰは、端末装置によるネットワークへのアクセスを許可する。第２アクセスリクエストで伝送された暗号化情報がＡＰであらかじめ設定された暗号化情報に一致しなかった場合、ＡＰは、端末装置によるネットワークへのアクセスを制限する。
【００２１】
当然ながら、本発明のこの実施形態では、暗号化情報がＡＰであらかじめ設定されていたとき、かつＡＰが端末装置によって送信された第１アクセスリクエストを受信したとき、ＡＰは、端末装置の検証を行う。検証が正常終了した場合、ＡＰは、あらかじめ設定された暗号化情報を端末装置に割り当てて（スケジュールして）、端末装置に送信する。このようにして、ＡＰは、第１アクセスリクエストをトリガした端末装置の検証が正常終了した後にだけ、当該端末装置に暗号化情報を送信するようにする。ユーザによる暗号化情報の同意を必要とする従来技術と比較した場合、この実施形態の方法は、暗号化情報を漏洩し難く、それにより、暗号化情報のセキュリティが高まる。
【００２２】
ある実施形態では、ＡＰは、以下の複数のステップを実行することによってステップ１０２を実行する。
【００２３】
Ａ：プロンプト情報が端末装置又は第三者端末装置に送信される。ここで、プロンプト情報は、アクセスポイントに送信すべきコンテンツ情報の入力を要求するために使用される。例えば、プロンプト情報は、ユーザに、友人の電話番号や友人の誕生日などの情報をＡＰに送信させるよう促す。さらに、ＡＰにユーザインタフェースが設けられてよく、ユーザは、このインタフェースを介してコンテンツ情報を設定してよい。この場合、ユーザは、第三者装置（例えば、携帯電話機）又は端末装置を使用して、所定のコンテンツ情報をＡＰに送信してよく、かつ、所定のコンテンツ情報は、ショートメッセージを介して送信されてよい。ＡＰは、ハイパーテキストマークアップランゲージ（ＨＴＭＬ）ページを介してプロンプト情報を提供してもよい。
【００２４】
Ｂ：プロンプト情報に従って端末装置又は第三者端末装置によって送信された情報を受信し、受信した情報がＡＰであらかじめ設定された内容に一致した場合、検証が正常終了する。
【００２５】
プロンプト情報に従って送信された情報を受信したとき、ＡＰは、受信した情報をあらかじめ設定された内容と比較する。例えば、ＡＰは、受信した友人の誕生日をＡＰに格納されている友人の誕生日と比較したり、受信した友人の電話番号をＡＰに格納されている友人の電話番号と比較したりする。受信した情報があらかじめ設定された内容に一致した場合、検証が正常終了する。
【００２６】
別の実施形態では、ＡＰにユーザインタフェースが設けられてよく、ユーザは、このユーザインタフェースを介して無線アクセス用暗号化情報を設定する。特に、ユーザは、ＡＰのボタンやタッチスクリーンを操作することにより、ＡＰが無線アクセス用暗号化情報を設定するために使用される設定インタフェースをユーザに提供するよう、ＡＰをトリガする。ユーザは、設定インタフェースを介して、暗号化情報を修正したり、暗号化情報に情報を追加したりでき、ＡＰは、設定インタフェースから受信した暗号化情報をファイルとして保存する。特に、設定インタフェースから受信した暗号化情報は、エクステンシブルマークアップランゲージ（ＸＭＬ）ファイルなどのファイルとしてフラッシュメモリに格納されてよい。
【００２７】
別の実施形態では、ユーザは、ＡＰのボタンやタッチスクリーンを操作することによって、暗号化情報の表示をトリガしてよい。特に、暗号化情報を表示するために使用される表示コマンドを受信すると、ＡＰは、ＡＰであらかじめ設定された暗号化情報を呼び出して、ＡＰのインタフェースに表示する。表示の際、ＡＰは、表示のために発光ダイオード（ＬＥＤ）又は有機ＬＥＤを使用してよい。このようにして、ユーザが無線アクセス用暗号化情報を忘れた場合に、ＡＰのボタンやタッチスクリーンを操作することによって、暗号化情報を表示させることができる。
【００２８】
また、本発明の一実施形態は、アクセスポイントを提供する。このアクセスポイントの概略構成図を図２に示す。アクセスポイントは、
端末装置によって送信される、ネットワークへのアクセスを要求するために使用される第１アクセスリクエストを受信するように構成されたリクエスト受信部１０と、
リクエスト受信部１０が第１アクセスリクエストを受信すると、端末装置の識別子をＡＰであらかじめ設定された識別子と比較することによって、端末装置の検証を行うように構成された検証部１１と、
検証部１１による端末装置の検証が正常終了した場合、アクセスポイントであらかじめ設定された無線アクセス用暗号化情報を呼び出すように構成された呼出し部１２と、
呼出し部１２によって呼び出された無線アクセス用暗号化情報を端末装置に送信するように構成された情報送信部１３とを具備する。情報送信部１３は、ショートメッセージを介して、呼び出された暗号化情報を端末装置に送信してもよい。
【００２９】
本発明のこの実施形態のアクセスポイントでは、リクエスト受信部１０が、端末装置によって送信される、ネットワークへのアクセスを要求するために使用される第１アクセスリクエストを受信したとき、検証部１１が、端末の検証を行う。検証が正常終了した場合、呼出し部１２が、あらかじめ設定された暗号化情報をスケジュールし、情報送信部１３が、当該暗号化情報を端末装置に送信する。このようにして、ＡＰは、第１アクセスリクエストをトリガした端末装置の検証が正常終了した後にだけ、当該端末装置に暗号化情報を送信するようにする。ユーザによる暗号化情報の同意を必要とする従来技術と比較した場合、本発明のこの実施形態は、暗号化情報が漏洩し難く、それにより、暗号化情報のセキュリティが高まる。
【００３０】
図３を参照すると、図２に示された構成とは異なる実施形態において、アクセスポイントは、暗号設定部１４と、情報表示部１５と、ネットワークアクセス部１６とをさらに具備してよい。検証部１１は、プロンプト送信部１１０と、情報マッチング部１１１とを具備してよい。
【００３１】
プロンプト送信部１１０は、プロンプト情報を端末装置又は第三者端末装置に送信するように構成される。ここで、プロンプト情報は、アクセスポイントに送信すべきコンテンツ情報の入力を要求するために使用される。
【００３２】
情報マッチング部１１１は、プロンプト情報に従って端末装置又は第三者端末装置によって送信された情報を受信するように構成される。ここで、受信した情報がアクセスポイントであらかじめ設定されたコンテンツに一致した場合、検証が正常終了する。
【００３３】
暗号設定部１４は、無線アクセス用暗号化情報を設定するために使用される設定インタフェースをユーザに提供するとともに、設定インタフェースから受信する暗号化情報をファイルとして保存するように構成される。
【００３４】
情報表示部１５は、暗号化情報を表示するために使用される表示コマンドを受信し、アクセスポイントであらかじめ設定された暗号化情報を呼び出し、当該暗号化情報を表示するように構成される。
【００３５】
ネットワークアクセス部１６は、リクエスト受信部１０によって受信された第２アクセスリクエストで伝送された暗号化情報がアクセスポイントであらかじめ設定された暗号化情報に一致した場合に、端末装置によるネットワークへのアクセスを許可するように構成される。ここで、第２アクセスリクエストは、ネットワークへのアクセスを要求するために使用される。
【００３６】
この実施形態のアクセスポイントでは、リクエスト受信部１０が第１アクセスリクエストを受信したとき、当該アクセスリクエストが暗号化情報を含んでいなかった場合に、検証部１１中のプロンプト送信部１１０が、プロンプト情報を送信する。ここで、プロンプト情報は、アクセスポイントに送信すべきコンテンツ情報の入力を要求するために使用される。ユーザが第三者端末装置又は端末装置を介して、対応するコンテンツをアクセスポイントに送信したとき、情報マッチング部１１１は、対応するコンテンツを受信すると、対応するコンテンツをアクセスポイントであらかじめ設定されたコンテンツと比較する。対応するコンテンツがアクセスポイントであらかじめ設定されたコンテンツに一致した場合、検証は正常終了し、情報送信部１３は、呼出し部１２によって呼び出された暗号化情報を送信する。対応するコンテンツがアクセスポイントであらかじめ設定されたコンテンツに一致しなかった場合、検証は正常終了せず、情報マッチング部１１１は、検証が正常終了しなかったことを示す情報を端末装置に送信する。暗号化情報を取得すると、端末装置は、暗号化情報を伝送する第２アクセスリクエストをアクセスポイントに送信する。リクエスト受信部１０が、第２アクセスリクエストで伝送された暗号化情報を受信したとき、ネットワークアクセス部１６は、当該暗号化情報がＡＰであらかじめ設定された暗号化情報に一致した場合に、端末装置によるネットワークへのアクセスを許可する。伝送された暗号化情報がＡＰであらかじめ設定された暗号化情報に一致しなかった場合、ネットワークアクセス部１６は、端末装置によるネットワークへのアクセスを制限し、暗号化情報がＡＰであらかじめ設定された暗号化情報に一致しなかったことを示す情報を端末装置に返す。
【００３７】
この実施形態では、ＡＰは、暗号設定部１１４を介して、無線アクセス用暗号化情報を設定するために使用される設定インタフェースをユーザに提供し、かつ設定インタフェースから受信した暗号化情報をファイルとして保存することによって、暗号化情報を設定する。暗号化情報を表示するために使用される表示コマンドを受信すると、情報表示部１５は、暗号設定部１４を介して設定された暗号化情報を表示する。このようにして、ユーザは、アクセスポイントのボタンやタッチスクリーンを操作することによって、暗号化情報を表示するために使用される表示コマンドをアクセスポイントに送信する。
【００３８】
また、本発明の一実施形態は、端末装置とアクセスポイントとからなる通信システムを提供する。ここで、
端末装置は、ネットワークへのアクセスを要求するために使用される第１アクセスリクエストをアクセスポイントに送信し、アクセスポイントによって返送される暗号化情報を受信するように構成され、
アクセスポイントは、端末装置によって送信され、ネットワークへのアクセスを要求するために使用される第１アクセスリクエストを受信し、端末装置の検証を行って、検証が正常終了した場合に、無線アクセス用暗号化情報を呼び出し、呼び出した無線アクセス用暗号化情報を端末装置に送信するように構成される。ここで、無線アクセス用暗号化情報は、アクセスポイントであらかじめ設定される。
【００３９】
アクセスポイントによって返送された暗号化情報を受信すると、端末装置は、暗号化情報を伝送する第２アクセスリクエストをアクセスポイントに送信する。ここで、第２アクセスリクエストは、ネットワークへのアクセスを要求するために使用される。このようにして、アクセスポイントは、第２アクセスリクエストで伝送される暗号化情報をアクセスポイントで設定した暗号化情報と比較する。第２アクセスリクエストで伝送される暗号化情報がアクセスポイントで設定した暗号化情報に一致した場合、アクセスポイントは、端末装置によるネットワークへのアクセスを許可する。第２アクセスリクエストで伝送される暗号化情報がアクセスポイントで設定した暗号化情報と一致しなかった場合、アクセスポイントは、端末装置によるネットワークへのアクセスを制限する。
【００４０】
この実施形態におけるアクセスポイントは、図２又は図３に示されたアクセスポイントであってよく、再度の説明は省略する。
【００４１】
これらの実施形態による方法のステップのすべて又はその一部が、適切なハードウェアに命令するプログラムによって実施されてよいことを、当業者は理解する。プログラムは、リードオンリーメモリ（ＲＯＭ）、ランダムアクセスメモリ（ＲＡＭ）、磁気ディスク、又はＣＤ−ＲＯＭを含むコンピュータ読み取り可能な記録媒体に格納されてよい。
【００４２】
以上、本発明の諸実施形態によって提供される無線アクセス下で暗号化情報を取得するための方法、装置、及びシステムについて詳細に記載した。本発明の原理及び実施例が特定の例として明細書中で説明されたが、上記の諸実施形態の記載は、本発明の方法及び主要なアイデアの理解を容易にするために提供されたに過ぎない。当業者であれば、本発明のアイデアに従って、特定の実施例及び応用範囲の観点から、本発明のさまざまな変形例を生み出すことができよう。したがって、発明の詳細な説明は、本発明の限定を意図しない。
【符号の説明】
【００４３】
１０  リクエスト受信部
１１  検証部
１１０  プロンプト送信部
１１１  情報マッチング部
１２  呼出し部
１３  情報送信部
１４  暗号設定部
１５  情報表示部
１６  ネットワークアクセス部
【図１】
0005593575.tif 000002
【図２】
0005593575.tif 000003
【図３】
0005593575.tif 000004